(57)【要約】【課題】簡単な接合構造で充分な耐荷力を有するとともに、使用木材量が少なく軽量で安価に製作することができる木製梁を提供する。【解決手段】  木材からなる上フランジ２及び下フランジ３と、これらフランジを上下方向に連結するウェブ４とを有する。ウェブは、小幅板材５を木製梁１の軸線方向に傾斜し、間隔を開けて複数が配列された第１群の小幅板材５ａと、該木製梁の軸線方向に対して前記第１群の小幅板材と反対側に傾斜し、間隔を開けて複数が配列された第２群の小幅板材５ｂと、を有するものとする。これら小幅板材５ａ，５ｂのそれぞれは、他の複数の小幅板材と交差するように重ね合わされ、交差する位置で互いに接合される。ウェブと上フランジとは、小幅板材の上縁部を対となった２つのフランジ材２ａ，２ｂで両側から挟み込んで接合する。ウェブと下フランジも同じようにして接合する。【選択図】図１
2014055405.tif 000002
【特許請求の範囲】
【請求項１】
木材からなる上フランジ及び下フランジと、
前記上フランジと前記下フランジとを上下方向に連結するウェブとを有する木製梁であって、
前記ウェブは、所定幅の板材からなる小幅板材を複数配列して形成され、  該小幅板材の軸線が該木製梁の軸線方向に対して傾斜し、間隔を開けて該木製梁の軸線方向に複数が配列された第１群の小幅板材と、  該木製梁の軸線方向に対して前記第１群の小幅板材と反対側に傾斜し、間隔を開けて該木製梁の軸線方向に複数が配列された第２群の小幅板材と、を有し、
前記第１群に含まれる小幅板材は前記第２群に含まれる複数の小幅板材と交差するように双方の板面が重ね合わされ、前記第２群に含まれる小幅板材は前記第１群に含まれる複数の小幅板材と交差するように双方の板面が重ね合わされ、
重ね合わされて交差する位置で、前記第１群に含まれる小幅板材と前記第２群に含まれる小幅板材とが接合されており、
前記上フランジと前記下フランジとのそれぞれは、対となる２つのフランジ材で構成され、
重ね合わされた前記第１群の小幅板材と前記第２群の小幅板材とを２つの前記フランジ材が両側から挟み込むように接合されていることを特徴とする木製梁。
【請求項２】
対となって前記上フランジ又は前記下フランジを構成する二つのフランジ材を、前記小幅板材の両側から押し付けるように締め付ける締付部材を有することを特徴とする請求項１に記載の木製梁。
【発明の詳細な説明】
【技術分野】
【０００１】
本発明は、木造の建築物等の構造部材として用いられる木製梁に関するものである。
【背景技術】
【０００２】
木造建築物においても、例えば多数の人が集まることができる居室や複数台の車を駐車することができる駐車スペースなど広い空間を備えた構造が求められることがある。このような広い空間を設けるためには、大きな間隔で立設された柱と柱との間に梁を架け渡し、屋根又は上層階の荷重を支持する必要がある。
【０００３】
一般に木製の梁として矩形断面の木材が広く用いられている。しかし、長い支間に架け渡す梁では、梁の高さ（梁せい）を大きくする必要があり、使用する木材の体積が増大する。これにともない、梁の重量が大きくなるとともに、材料費が嵩むことになる。このような事情から、使用する木材量を低減して軽量化した梁が、特許文献１及び特許文献２に提案されている。
【先行技術文献】
【特許文献】
【０００４】
【特許文献１】特開平８−１５８５３７号公報
【特許文献２】特許第４８１８４３３号公報
【発明の概要】
【発明が解決しようとする課題】
【０００５】
特許文献１に記載の構造材は、上フランジと下フランジとこれらを接続するリブとで構成されるものであり、リブとして板材を用いている。この構造材は、せん断力に対して主にリブによって抵抗するものであり、このリブとしては無垢の板材、合板、集成材等が使用される。しかしながら、無垢の板材は、縦横の剛性及び強度に著しく差があり、反り等の変形も生じ易い。また、合板や木材のチップを合成樹脂で板状に固めた板材等をリブとして用いる構造材では、大きなせん断力が作用したときに斜め方向に生じる圧縮力及び引張力（主応力）に対して、木材の異方性を有効に利用した部材とすることができない。
【０００６】
一方、特許文献２に記載の梁は、木製の上弦材と下弦材とを木製のストラット（斜材）で連結し、トラス状としたものである。この梁では、主に斜材の軸力によってせん断力に抵抗し、木目に沿った方向に大きな強度を有する木材の特性を有効に利用したものとなる。しかし、斜材と上弦材又は下弦材との接合部及び隣り合う斜材間に大きな力が作用する。このため、接合部にほぞ及びほぞ穴を高い精度で設け、これらを嵌め合わせるように接合する必要が生じている。このように接合するための加工には高い精度の作業が必要となり、製作費用が嵩むことになる。
【０００７】
本発明は、上記のような事情に鑑みてなされたものであり、その目的は、使用木材量が少なく、軽量で安価かつ簡易に製作することができるとともに、高い耐荷力を有する木製梁を提供することである。
【課題を解決するための手段】
【０００８】
上記課題を解決するために、請求項１に係る発明は、  木材からなる上フランジ及び下フランジと、  前記上フランジと前記下フランジとを上下方向に連結するウェブとを有する木製梁であって、  前記ウェブは、所定幅の板材からなる小幅板材を複数配列して形成され、  該小幅板材の軸線が該木製梁の軸線方向に対して傾斜し、間隔を開けて該木製梁の軸線方向に複数が配列された第１群の小幅板材と、  該木製梁の軸線方向に対して前記第１群の小幅板材と反対側に傾斜し、間隔を開けて該木製梁の軸線方向に複数が配列された第２群の小幅板材と、を有し、  前記第１群に含まれる小幅板材は前記第２群に含まれる複数の小幅板材と交差するように双方の板面が重ね合わされ、前記第２群に含まれる小幅板材は前記第１群に含まれる複数の小幅板材と交差するように双方の板面が重ね合わされ、  重ね合わされて交差する位置で、前記第１群に含まれる小幅板材と前記第２群に含まれる小幅板材とが接合されており、  前記上フランジと前記下フランジとのそれぞれは、対となる２つのフランジ材で構成され、  重ね合わされた前記第１群の小幅板材と前記第２群の小幅板材とを２つの前記フランジ材が両側から挟み込むように接合されている木製梁を提供する。
【０００９】
この木製梁では、上下のフランジとウェブとで構成されることにより、無垢の木材からなる梁に比べて重量を大きく低減することができるととともに、木材の小片をランダムな方向に重ね合わせて合成樹脂等によって固めた板材をウェブとして使用したときと比べても、重量を低減することができる。そして、曲げ剛性及び曲げ耐力は大きく変わらないものとすることができるとともに、せん断力に対しても、複数の小幅板材によって抵抗し、充分な耐力を有するものとすることができる。梁に大きなせん断力が作用する部位では、梁を側面から見たときの斜め方向に圧縮力（斜圧縮力）が作用し、これと逆方向に傾斜した斜め方向に引張力（斜引張力）が作用するが、逆方向に傾斜した第１群の小幅板材と第２群の小幅板材とが、これらの軸線方向の耐荷力によって抵抗する。このとき、小幅板材は軸線方向に木目が通る部材を用いるのが最も安価で容易であり、木材の最も大きな圧縮耐力又は引張耐力を有する方向を大きな力が作用する方向に合わせて使用することができる。したがって、木材の性質を有効に利用して大きなせん断耐力を得ることができる。
【００１０】
また、小幅板材は斜め方向に配置されてせん断力に抵抗するために、小幅板材と上下のフランジとの接合部において相互間で力が伝達されるが、複数の小幅板材を配列するとともに、逆方向に傾斜して重ね合わされた第１群の小幅板材と第２群の小幅板材とが複数の位置で互いに接合され、この接合部で力の伝達が行われるので、小幅板材と上下のフランジとの接合部に作用する力を分散することができる。
さらに、ウェブとなる小幅板材は、上フランジを構成する対となった２枚のフランジ材、又は下フランジを構成する２枚のフランジ材で、両側から挟みこまれて接合されるので、上下フランジとウェブとの接合を簡易に行うことができるとともに、ウェブとフランジの接合面積を、木製梁に作用する荷重、木製梁の寸法等に応じて適宜に設定することが容易となる。
したがって、簡単な接合構造で高い強度の木製梁とすることが可能となる。
【００１１】
請求項２に係る発明は、請求項１に記載の木製梁において、  対となって前記上フランジ又は前記下フランジを構成する二つのフランジ材を、前記小幅板材の両側から押し付けるように締め付ける締付部材を有するものとする。
【００１２】
この木製梁では、逆方向に傾斜して重ね合わされた第１群に含まれる小幅板材と第２群に含まれる小幅板材とが互いに圧接されるともに、これら小幅板材が対となったフランジ材に両側から締め付けられる。したがって、フランジ上に荷重が作用したときにも重ね合わされた小幅板材間又は小幅板材とフランジ材との間に引張応力が生じるのを抑制することができる。
【発明の効果】
【００１３】
以上説明したように、本発明の木製梁は、使用する木材量を少なくして軽量で安価かつ簡易に製作することができるとともに、曲げモーメント及びせん断力に対して充分な耐力を有するものとなる。
【図面の簡単な説明】
【００１４】
【図１】本発明の一実施形態である木製梁を示す概略斜視図である。
【図２】図１に示す木製梁の正面図及び側面図である。
【図３】図２中に示すＡ−Ａ線及びＢ−Ｂ線における断面図である。
【図４】小幅板材を重ね合わせて接合することによって形成され、図１に示す木製梁においてウェブとして用いることができるパネル状部材を示す概略斜視図である。
【図５】フランジとウェブとの接合部に締付部材を用いた木製梁の側面図及び断面図である。
【図６】図４に示すパネル状部材の接合構造を示す部分側面図及び拡大した部分平面図である。
【図７】図４示すパネル状部材の接合部分を示す平面図である。
【図８】図４に示すパネル状部材の接合構造の他の例を示す概略側面図である。
【図９】図１に示す木製梁において、小幅板材及び小幅板材と上フランジ又は下フランジとの接合部に作用する力について説明するための概略図である。
【図１０】本発明の他の実施形態である木製梁を示す正面図及び側面図である。
【発明を実施するための形態】
【００１５】
以下、本発明の実施の形態を図に基づいて説明する。
図１は、本発明の一実施形態である木製梁を示す概略斜視図である。また、図２はこの木製梁の正面図及び側面図であり、図３は断面図である。
この木製梁１は、図１に示すように、木材からなる上フランジ２及び下フランジ３と、上縁部に上記上フランジ２が接合され、下縁部に上記下フランジ３が接合されて上フランジ２と下フランジ３とを上下に所定の間隔を維持して接合するウェブ４とを有するものである。そして、これらのフランジ２，３及びウェブ４が一体となって、この木製梁１に作用する曲げモーメント及びせん断力に抵抗するものとなっている。
【００１６】
上記上フランジ２は、対となった２つのフランジ材２ａ，２ｂからなるものであり、各フランジ材は、無垢の木材又は複数枚の木材の薄板を貼り合わせて形成された積層材（ＬＶＬ：Laminated Veneer Lumber）等を用いることができる。
上記積層材は、木材を所定の厚さ、例えば２ｍｍ〜４ｍｍに切削した単板の木目の方向をほぼ平行にして積層し、互いに接着したものである。このような積層材は、含水率の分布を均等化し、木材の節等の欠陥部分を分散することができるため、寸法の安定性及び精度が良好で、好適に使用することができる。この他、木目の方向を直角となる方向に交互に変更して積層した合板等を用いることができるが全ての木目の方向がほぼ軸線方向と一致している部材が望ましい。
【００１７】
上記下フランジ３は、上記上フランジ２と同様に、対となった２つのフランジ材３ａ，３ｂからなるものであり、上フランジ２を構成するフランジ材２ａ，２ｂと同じ材料とすることができる。このように下フランジ３は上フランジ２と同様の部材として木製梁１を上下に対称な構造とするのが望ましいが、用途や使用する部位によっては、下フランジ３は上フランジ２と異なる材料を用いても良いし、断面寸法が異なるものとしても良い。
【００１８】
上記ウェブ４は、木製梁１の軸線に沿った方向の鉛直面に沿って配列された複数の小幅板材５によって形成され、上記上フランジ２と上記下フランジ３とが一体として挙動するように上下に連結するものである。小幅板材５は木材を所定幅の板状に形成したものであり、所定幅となった面を上記鉛直面と平行にするとともに、側面視においてこの小幅板材５の軸線が木製梁１の軸線に対してほぼ４５°となるように傾斜して配置されている。これらの小幅板材５は、軸線の傾斜方向が互いに逆となった第１群の小幅板材５ａと第２群の小幅板材５ｂとを含み、それぞれが木製梁１の軸線方向に所定の間隔をあけて配列されている。そして、これらが重ね合わされて、双方が上フランジ２及び下フランジ３と接合されている。
【００１９】
上記小幅板材５は、該小幅板材の軸線方向に木目の方向がほぼ一致するように形成されており、幅は３０ｍｍ〜８０ｍｍ程度、厚さは５ｍｍ〜１５ｍｍ程度とすることが望ましい。そして、木製梁１の軸線方向に、該小幅板材５の中心軸線が６０ｍｍ〜２５０ｍｍ程度の間隔で配列されている。図２に示す実施の形態では、小幅板材の幅が５５ｍｍとなっており、厚さが９ｍｍとなっている。このような小幅板材５が木製梁１の軸線方向に１５１ｍｍの間隔で配列され、小幅板材５の中心軸線と直角方向には、隣り合う小幅板材との間に約５１．８ｍｍの間隙が生じている。そして、各小幅板材５は木製梁１の側面視において、傾斜方向が逆となった複数の他の小幅板材５と交差するように配置されている。例えば、図２に示す第１群の小幅板材５ａに含まれる小幅板材５ａ-1は、第２群の小幅板材に含まれる複数の小幅板材５ｂ-1，５ｂ-２，５ｂ-３，５ｂ-４と重ね合わされている。これらの小幅板材５ａ，５ｂは、重ね合わされた位置で接着剤によって互いに接合され、接合された小幅板材５ａ，５ｂ間で力の伝達が可能となっている。
【００２０】
上記小幅板材５は、図４に示すように、予め第１群の小幅板材５ａと第２群の小幅板材５ｂとを所定の間隔で配列し、互いに貼り合わせてパネル状に組み立てた後、このパネル状となった小幅板材５ａ，５ｂの上縁部又は下縁部が上フランジ２又は下フランジ３に接合されるものとなっている。重ね合わされた小幅板材５ａ，５ｂを接合する手段としては、接着剤よって接合するものの他、釘、ボルト、ピン等を用いて接合するものであっても良い。
【００２１】
パネル状となった上記小幅板材を上フランジ２と接合する構造は、図２に示すように、第１群の小幅板材５ａと第２群の小幅板材５ｂとが重なりあった部分を含んだ上縁部を、上フランジ２を構成する２つのフランジ材２ａ，２ｂで挟みこんで接合するものとなっている。なお、接合には接着剤を用いることができる。
一方、パネル状となった上記小幅板材と下フランジ３との接合も上フランジ２との接合と同様に、下フランジを構成する２つのフランジ材３ａ，３ｂを、第１群の小幅板材５ａと第２群の小幅板材５ｂとが重なりあった部分を含んだ下縁部に両側から挟み込むように接合するものである。なお、本実施の形態では、フランジ材の鉛直方向の長さを約６０ｍｍとしている。
【００２２】
このように、上下フランジ２，３を構成するそれぞれ対となったフランジ材２ａ，２ｂが、重なりあった小幅板材５ａ，５ｂを両側から挟みこんで接合されるものとなっているので、木製梁の高さや木製梁１が用いられる状況に応じて、上下フランジ２，３とウェブ４との接合面積を容易に変更することが可能となる。つまり、木製梁１に負荷される荷重や支間の長さ等により、上下フランジ２，３の鉛直方向の寸法を変更し、木製梁１に作用する曲げモーメントやせん断力に対する耐力を強化することができる。  
【００２３】
また、ウェブと上フランジ又は下フランジとの接合には、接着剤に代えて、または接着剤とともに締付部材６により接合することもできる。
図５は、フランジとウェブとの接合部に締付部材を用いた木製梁の側面図及び断面図である。
上記締付部材６を用いた接合構造は、上フランジ２又は下フランジ３と小幅板材５ａ，５ｂとを貫通するように形成された貫通孔にボルト６ａを挿通し、ワッシャー６ｂを介してナット６ｃで締め付けるものである。
ボルト６ａを貫通させる位置は、上フランジ２のフランジ材２ａ，２ｂ又は下フランジ３のフランジ材３ａ，３ｂに挟み込まれる領域内で、第１群の小幅板材５ａと第２群の小幅板材５ｂとが重なりあった位置とするのが望ましい。
【００２４】
このように、逆方向に傾斜する小幅板材５の重ね合わされた部分が、上フランジを構成する２つのフランジ材２ａ，２ｂ又は下フランジを構成する２つのフランジ材３ａ，３ｂによって両側から締付けられると、フランジ材２ａ，２ｂ，３ａ，３ｂと小幅板材５との間に押圧力が作用するとともに重ね合わされた小幅板材５ａ，５ｂ間に圧縮力が作用する。これにより、小幅板材５ａ，５ｂと上フランジ２又は下フランジ３、及び重ね合わされた小幅板材５ａ，５ｂが強固に接合されたものとなる。また、上フランジ上に荷重が作用したときに、上フランジ２と小幅板材５との接合部の上縁で引張応力つまり上フランジ２と小幅板材５とを引き離す方向の力が生じるのを抑制することができる。
なお、上記締付部材は、上下フランジについて全長にわたって用いても良いが、上フランジのみに用いるものであっても良いし、木製梁の長さ方向における一部に用いるものであっても良い。
【００２５】
上記パネル状となった小幅板材は、木製梁１の長さが長いとつなぎ合わせて用いる場合が生じる。既にパネル状となっている小幅板材の接続は、例えば次のように行うことができる。
図６（ａ）は、パネル状となった小幅板材の接合端部に施した接合用の加工を示す部分側面図であり、図６（ｂ）は、同じ部分を拡大して示す部分平面図である。
これらの図に示すように、小幅板材５ａ，５ｂ，５ａ’，５ｂ’の接合端部に平面形状で凸部８，８’と凹部９，９’とが交互に形成されるように切削加工を施す。これらの凸部８，８’と凹部９，９’とは上下方向に連続して平断面における形状は変わらないものとなっており、接合する双方の小幅板材５ａ，５ｂ，５ａ’，５ｂ’の端面からパネルの長手方向に所定の深さＬで凹部９，９’を切削して形成する。そして、これらの凸部８，８’と凹部９，９’とは、接合する小幅板材の一方５ａ，５ｂの凸部８が他方５ａ’，５ｂ’の凹部９’に差し入れられるとともに他方５ａ’，５ｂ’の凸部８’が一方５ａ，５ｂの凹部９に差し入れられ、図７に示すように、互いに対応して嵌め合わせることができるものとする。これらの接合面には接着剤を塗布し、大きな接着面積によって強固に接合されるものである。
【００２６】
上記パネル状となった小幅板材５ａ，５ｂ，５ａ’，５ｂ’は、図８に示すように接合することもできる。
この例では、パネル状に張り合わされた小幅板材５ａ，５ｂ，５ａ’，５ｂ’の内で、該パネル状部材の長手方向の端部付近で上端面と下端面とのいずれかが、パネルの鉛直方向の端面となる部分を含んでいる小幅板材５ｃ，５ｃ’、すなわち小幅板材の端面が鉛直となっているもの又は鉛直部分と水平部分とからなるものは、予め取り外すか、又はパネルの製作時に除外しておく。そして、接合する双方のパネル状部材の端部において小幅板材５ａ，５ｂ，５ａ’，５ｂ’の斜め方向に突き出した部分を互いに重ね合わせ、これらを接着剤、ビス、釘等によって接合することによってパネル状部材を接合することができる。
【００２７】
以上に説明した木製梁１では、図９（ａ）に示すように、せん断力が作用する領域で、互いに逆方向に傾斜する第１群の小幅板材５ａと第２群の小幅板材５ｂとの一方に引張力Ｆｔ1が作用し、他方に圧縮力Ｆｃ1が作用する。このように逆方向に傾斜した方向に圧縮力と引張力とが作用するのは、ウェブとして梁の軸線方向に連続する板材を用いたときと同様であるが、上記小幅板材５を用いることによって引張力Ｆｔ1又は圧縮力Ｆｃ1の方向と木目の方向とがほぼ同じとなるように配置することができる。木材は木目に沿った方向において圧縮力及び引張力に対して大きな耐力を有するものであり、木材の特性を有効に利用して大きな耐力を備える梁とすることが可能となる。
【００２８】
なお、木材の小片を合成樹脂等によって固めた板材をウェブとして用いた梁では、木目の方向が小片毎に異なり、せん断力によって生じる斜め方向の力に対して木材の性質を有効に利用するものとはならない。また、合板をウェブとして利用する梁において、重ね合わされた単板の木目の方向を鉛直方向及び水平方向として用いれば、せん断力による斜め方向の力に対して木目の方向が異なっており、同様に木材の性質を有効に利用するものではない。また、単板の木目の方向を傾斜させて合板を用いると、合板からウェブとして用いる部分を切り出すとき、つまり板取りを行うときに多くの端材を生じて製作費用が嵩むことになる。
【００２９】
また、上記小幅板材５を用いた木製梁１では、各小幅板材が逆方向に傾斜する他の複数の小幅板材と交差して互いに接合されているので、引張力が作用する小幅板材５ａと圧縮力が作用する小幅板材５ｂとの間で力の伝達が生じ、小幅板材５と上フランジ２又は下フランジ３との接合部に作用する力を軽減することができる。つまり、図９（ｂ）に示すように引張力Ｆｔ1が作用する小幅板材５ａは逆方向に傾斜して圧縮力Ｆｃ1が作用する複数の小幅板材５ｂとの間で、双方に作用する力の上下方向の成分が相殺され、引張力が作用する小幅板材５ａを上フランジ２又は下フランジ３から引き離そうとする力Ｆｔ2が緩和される。つまり、逆方向に傾斜する小幅板材５との力の伝達が無いと、小幅板材５に作用する引張力は全て上フランジ２又は下フランジ３との接合部に伝達されるが、複数の逆方向に傾斜した小幅板材５との間で力が伝達されることによって、小幅板材５と上フランジ２又は下フランジ３との間に作用する力Ｆｔ2，Ｆｃ2，Ｆｈが緩和されるものである。
【００３０】
このような木製梁では、ウェブとフランジとを簡易な接合構造とすることができるとともに、軽量で大きな耐力を有するものとすることが可能となる。また、小幅板材５が間隔を開けて配列されるので、これらの間隙を利用して、電力供給用の配線、通信用の配線を行うことができるとともに、給水用の配管、排水用の配管、空調用の配管等を、木製梁に特別な加工を施すことなく行うこともできる。
【００３１】
なお、本発明は以上に説明した実施の形態に限定されるものではなく、本発明の範囲内において他の形態として実施することができる。
例えば、木製梁の高さは、図１０に示すように、使用するときの支点間の長さ、荷重の大きさ等に応じて適宜に変更することができる。また、フランジ材の断面寸法、小幅板材の断面寸法、小幅板材を木製梁の軸線方向に配置する間隔等を適宜に設定することができる。
【符号の説明】
【００３２】
１：木製梁、    ２：上フランジ、    ３：下フランジ、    ４：ウェブ、    ５：小幅板材、    ５ａ：第１群の小幅板材、    ５ｂ：第２群の小幅板材、    ５ｃ：端面に鉛直となった面を含む小幅板材、    ６：締付部材、    ６ａ：ボルト、    ６ｂ：ワッシャー、    ６ｃ：ナット、    ８：パネル状となった小幅板材の接合端部に設けられた凸部、    ９：パネル状となった小幅板材の接合端部に設けられた凹部、    
２１，３１：木製梁、    ２２，３２：上フランジ、    ２３，３３：下フランジ、    ２４，３４：ウェブ、    ２５，３５：小幅板材、    
Ｆｔ1：小幅板材に作用する引張力、    Ｆｃ1：小幅板材に作用する圧縮力、    Ｆｔ２：フランジに作用する小幅板材を引き抜く方向の力、    Ｆｃ２：フランジに作用する小幅板材を押し付ける方向の力、    Ｆｈ：Ｆｔ２とＦｃ２との合力
【図１】
2014055405.tif 000003
【図２】
2014055405.tif 000004
【図３】
2014055405.tif 000005
【図４】
2014055405.tif 000006
【図５】
2014055405.tif 000007
【図６】
2014055405.tif 000008
【図７】
2014055405.tif 000009
【図８】
2014055405.tif 000010
【図９】
2014055405.tif 000011
【図１０】
2014055405.tif 000012